(57)【要約】【課題】氷貯蔵部に貯蔵された角氷を粉状の氷に作って供給することができ、容易に着脱可能な氷削部を有する冷蔵庫を提供すること。【解決手段】本発明による冷蔵庫は、冷凍室と、前記冷凍室を開閉するための冷凍室ドアと、前記冷凍室ドアに設けられたディスペンサー部とを有する冷蔵庫において、前記冷凍室に設けられ、氷を貯蔵し、貯蔵された氷を外部に吐出するための吐出部が形成された氷貯蔵部と；前記冷凍室に設けられ、前記氷貯蔵部が設置される支持部材と；前記吐出部に隣接した前記支持部材の前方に着脱可能に結合され、氷削された粉状の氷を排出するための粉氷排出部が設けられた氷削部と、前記氷削部の後方に設置され、前記氷削部を駆動するための駆動部と、を有する氷削ユニットと；を含むことを特徴とする。【選択図】図３
2007093195.tif 000002
【特許請求の範囲】
【請求項１】
冷凍室と、前記冷凍室を開閉するための冷凍室ドアと、前記冷凍室ドアに設けたディスペンサー部と、を有する冷蔵庫において、
前記冷凍室に設けられ、氷を貯蔵し、貯蔵された氷を外部に吐出するための吐出部を形成した氷貯蔵部と；
前記冷凍室に設けられ、前記氷貯蔵部を設置した支持部材と；
前記吐出部に隣接する前記支持部材の前方に着脱可能に結合され、氷削された粉状の氷を排出する粉氷排出部を設けた氷削部と、前記氷削部の後方に設置され、前記氷削部を駆動する駆動部と、を有する氷削ユニットと；
を含むことを特徴とする冷蔵庫。
【請求項２】
前記吐出部は、
前記氷貯蔵部内の角氷を前記氷削部に吐出する第１吐出部と、
前記氷貯蔵部内の角氷または角氷が粉砕された切れ氷を吐出する第２吐出部と、を含み、
前記支持部材には、前記第１吐出部に隣接するように設けた前記氷削部を受容する受容部が設けられることを特徴とする、請求項１に記載の冷蔵庫。
【請求項３】
前記冷凍室ドアに設けられ、前記粉氷排出部及び前記第２吐出部から吐出した氷が流入する上端開口部と、流入した氷を前記ディスペンサー部に排出する下端開口部と、を形成したアイスダクトをさらに含み、
前記下端開口部は、前記粉氷排出部に排出された粉氷が前記上端開口部及び前記下端開口部を通過して直ちに前記ディスペンサー部に排出されるように、前記粉氷排出部の鉛直下方に設けられることを特徴とする、請求項２に記載の冷蔵庫。
【請求項４】
前記氷削部は、
前記粉氷排出部が設けられ前記受容部に受容される固定トレイと、
前記粉氷排出部に設けた刃と、
前記固定トレイに回転可能に結合され前記固定トレイ内の氷を前記刃に向かって移送加圧する回転トレイと、を含むことを特徴とする、請求項２に記載の冷蔵庫。
【請求項５】
前記駆動部から駆動力が伝達されて、前記回転トレイを回転させる動力伝達部をさらに含むことを特徴とする、請求項４に記載の冷蔵庫。
【請求項６】
前記動力伝達部は、前記回転トレイと結合して前記回転トレイを回転させる回転軸を含むことを特徴とする、請求項５に記載の冷蔵庫。
【請求項７】
前記固定トレイの中心部には、前記回転軸が貫通する貫通部が形成され、
前記回転トレイの中心部には、前記固定トレイを貫通した回転軸が結合する回転軸受容部が形成されることを特徴とする、請求項６に記載の冷蔵庫。
【請求項８】
前記回転軸の外周面には複数の雄ねじ山が形成され、
前記回転軸受容部の内周面には前記雄ねじ山に対応する雌ねじ山が形成され、
前記回転軸と前記回転軸受容部は、前記回転トレイの回転方向の反対方向に結合されることを特徴とする、請求項７に記載の冷蔵庫。
【請求項９】
前記固定トレイを前記受容部に着脱可能に結合する結合部をさらに含むことを特徴とする、請求項４に記載の冷蔵庫。
【請求項１０】
前記結合部は、
前記固定トレイの外周面に突出形成した掛止突起と、
前記受容部に設けられ前記掛止突起が受容される受容溝と、を含むことを特徴とする、請求項９に記載の冷蔵庫。
【請求項１１】
前記結合部は、前記固定トレイに設けられ前記受容溝と連結した安着溝をさらに含み、
前記掛止突起は、前記安着溝に安着後、所定距離だけ移動して前記受容溝に受容されることを特徴とする、請求項１０に記載の冷蔵庫。
【請求項１２】
前記固定トレイに設けられ、前記掛止突起が前記受容溝に受容される受容位置と、前記掛止突起が前記受容溝から解除されて前記安着溝に位置する解除位置と、の間で移動するように前記固定トレイを回動させる取っ手部をさらに含むことを特徴とする、請求項１１に記載の冷蔵庫。
【請求項１３】
冷凍室と、前記冷凍室を開閉するための冷凍室ドアと、前記冷凍室ドアに設けたディスペンサー部と、を有する冷蔵庫において、
前記冷凍室に設けられ、氷を貯蔵し、貯蔵された氷を外部に吐出する吐出部を形成した氷貯蔵部と；
前記冷凍室に設けられ、前記氷貯蔵部が設置される支持部材と；
前記吐出部に隣接した前記支持部材の前方に着脱可能に結合され粉氷排出部を形成した氷削部、前記氷削部の後方に設置される駆動部、及び前記駆動部と前記氷削部との間に設けられ前記駆動部の駆動力を前記氷削部に伝達する動力伝達部を有する氷削ユニットと；
前記冷凍室ドアに設けられ、前記粉氷排出部及び前記吐出部から吐出した氷が流入する上端開口部と、前記粉氷排出部の鉛直下方に設けられ前記上端開口部に流入した氷が前記ディスペンサー部に排出される下端開口部と、が形成されたアイスダクトと；、
を含むことを特徴とする冷蔵庫。
【請求項１４】
前記支持部材には、前記氷削部が着脱可能に結合される受容部が形成され、
前記氷削部は、
前記粉氷排出部が設けられ前記受容部に受容される固定トレイ、
前記粉氷排出部に設けた刃、及び
前記固定トレイに回転可能に結合され前記固定トレイ内の氷を前記刃に向かって移送加圧する回転トレイを含むことを特徴とする、請求項１３に記載の冷蔵庫。
【請求項１５】
前記動力伝達部は、前記回転トレイと結合して前記回転トレイを回転させる回転軸を含むことを特徴とする、請求項１４に記載の冷蔵庫。
【請求項１６】
前記固定トレイの中心部には、前記回転軸が貫通する貫通部が形成され、
前記回転トレイの中心部には、前記固定トレイを貫通した回転軸が結合する回転軸受容部が形成されることを特徴とする、請求項１５に記載の冷蔵庫。
【請求項１７】
前記回転軸の外周面には複数の雄ねじ山が形成され、
前記回転軸受容部の内周面には前記雄ねじ山に対応する雌ねじ山が形成され、
前記回転軸と前記回転軸受容部は、前記回転トレイの回転方向の反対方向に結合されることを特徴とする、請求項１６に記載の冷蔵庫。
【請求項１８】
前記固定トレイの外周面に突出形成した掛止突起、
前記受容部に設けられ前記掛止突起が定着する安着溝、及び
前記安着溝と連結した受容溝をさらに含み、
前記掛止突起は、前記安着溝に安着後、所定距離だけ移動して前記受容溝に受容されることを特徴とする、請求項１４に記載の冷蔵庫。
【請求項１９】
前記固定トレイに設けられ、前記掛止突起が前記受容溝に受容される受容位置と、前記掛止突起が前記受容溝から解除されて前記安着溝に位置する解除位置と、の間で移動するように前記固定トレイを回動させる取っ手部をさらに含むことを特徴とする、請求項１８に記載の冷蔵庫。
【発明の詳細な説明】
【技術分野】
【０００１】
本発明は冷蔵庫に係わり、より詳しくは、氷貯蔵部に貯蔵された氷を粉状の氷に作って供給することができる氷削ユニットを備えた冷蔵庫に関する。
【背景技術】
【０００２】
一般に、冷蔵庫は各種食品を最適の状態で長期間保管することができるように区画されて設けた冷蔵室と冷凍室を備え、冷蔵室には野菜、果物などのように結氷温度以上で保管しなければならない冷蔵食品が貯蔵され、冷凍室には魚、肉のように結氷温度以下で保管しなければならない冷凍食品が貯蔵される。
【０００３】
冷凍室には、冷凍室を循環する冷気を利用して一定の大きさの氷を作るための製氷装置と、製氷装置で製氷された氷が貯蔵される氷貯蔵部と、が設けられる。氷貯蔵部に貯蔵された氷は用途によって角氷または切れ氷に粉砕されて外部に排出され、このような氷貯蔵部の氷排出構造については下記特許文献１などに開示されている。
【特許文献１】韓国特許出願第１９９８−００４９６１５号
【発明の開示】
【発明が解決しようとする課題】
【０００４】
しかし、従来の冷蔵庫は製氷装置で作られた角氷を粉状の氷に作って供給する氷削ユニットを備えていないため、家庭で粉状の氷を容易に利用することができず、特に家庭で小豆かき氷のように粉状の氷が必要な食品を作れないという短所があった。
【０００５】
したがって、本発明の目的は、氷貯蔵部に貯蔵された角氷を粉状の氷に作って供給することができ、容易に着脱可能な氷削部を有する冷蔵庫を提供することである。
【０００６】
本発明の他の目的は、氷削ユニットから排出される粉状の氷が氷の通路に積もらず円滑に排出されるように最適の位置に氷削部を設けた冷蔵庫を提供することである。
【課題を解決するための手段】
【０００７】
上記目的は、本発明によって、冷凍室と、前記冷凍室を開閉するための冷凍室ドアと、前記冷凍室ドアに設けられたディスペンサー部と、を有する冷蔵庫において、前記冷凍室に設けられ、氷を貯蔵し、貯蔵された氷を外部に吐出するための吐出部が形成された氷貯蔵部と；前記冷凍室に設けられ、前記氷貯蔵部が設置される支持部材と；前記吐出部に隣接する前記支持部材の前方に着脱可能に結合され、氷削された粉状の氷を排出するための粉状の氷排出部が設けられた氷削部と、前記氷削部の後方に設置され、前記氷削部を駆動するための駆動部と、を有する氷削ユニットと；を含む冷蔵庫によって達成される。
【０００８】
ここで、前記吐出部は、前記氷貯蔵部内の角氷を前記氷削部に吐出するための第１吐出部と、前記氷貯蔵部内の角氷または角氷が粉砕された切れ氷を吐出するための第２吐出部と、を含み、前記支持部材には、前記第１吐出部に隣接するように設けられて前記氷削部を受容する受容部を設け得る。
【０００９】
前記冷凍室ドアに設けられ、前記粉状の氷排出部及び前記第２吐出部から吐出された氷が流入する上端開口部と、流入した氷を前記ディスペンサー部に排出する下端開口部と、が形成されたアイスダクトをさらに含み、前記下端開口部は、前記粉状の氷排出部に排出された粉状の氷が前記上端開口部及び前記下端開口部を通過して直ちに前記ディスペンサー部に排出されるように、前記粉状の氷排出部の鉛直下方に設け得る。
【００１０】
前記氷削部は、前記粉状の氷排出部が設けられ前記受容部に受容される固定トレイと、前記粉状の氷排出部に設けられた刃と、前記固定トレイに回転可能に結合され前記固定トレイ内の氷を前記刃に向かって移送加圧する回転トレイと、を含み得る。
【００１１】
前記駆動部から駆動力が伝達され、前記回転トレイを回転させる動力伝達部をさらに含み得る。
【００１２】
前記動力伝達部は、前記回転トレイと結合して前記回転トレイを回転させる回転軸を含み得る。
【００１３】
前記固定トレイの中心部には、前記回転軸が貫通する貫通部が形成され、前記回転トレイの中心部には、前記固定トレイを貫通した回転軸が結合する回転軸受容部を形成し得る。
【００１４】
前記固定トレイを前記受容部に着脱可能に結合する結合部をさらに含み得る。
【００１５】
前記結合部は、前記固定トレイの外周面に突出形成した掛止突起と、前記受容部に設けられ前記掛止突起が受容される受容溝と、を含み得る。
【００１６】
前記結合部は、固定トレイに設けられ前記受容溝と連結した安着溝をさらに含み、前記掛止突起は、前記安着溝に安着後、所定距離だけ移動して前記受容溝に受容し得る。
【００１７】
前記固定トレイに設けられ、前記掛止突起が前記受容溝に受容される受容位置と、前記掛止突起が前記受容溝から解除されて前記安着溝に位置する解除位置と、の間で移動するように前記固定トレイを回動させる取っ手部をさらに含み得る。
【００１８】
一方、前記目的は、本発明によって、冷凍室と、前記冷凍室を開閉するための冷凍室ドアと、前記冷凍室ドアに設けられたディスペンサー部と、を有する冷蔵庫において、前記冷凍室に設けられ、氷を貯蔵し、貯蔵された氷を外部に吐出するための吐出部が形成された氷貯蔵部と；前記冷凍室に設けられ、前記氷貯蔵部が設置される支持部材と；前記吐出部に隣接する前記支持部材の前方に着脱可能に結合され粉状の氷排出部が形成された氷削部、前記氷削部の後方に設置される駆動部、及び前記駆動部と前記氷削部との間に設けられ前記駆動部の駆動力を前記氷削部に伝達する動力伝達部を有する氷削ユニットと；前記冷凍室ドアに設けられ、前記粉状の氷排出部及び前記吐出部から吐出した氷が流入する上端開口部と、前記粉状の氷排出部の鉛直下方に設けられ前記上端開口部に流入した氷が前記ディスペンサー部に排出される下端開口部と、が形成されたアイスダクトと；を含む冷蔵庫によっても達成される。
【００１９】
前記支持部材には、前記氷削部が着脱可能に結合される受容部が形成され、前記氷削部は、前記粉状の氷排出部が設けられ前記受容部に受容される固定トレイ、前記粉状の氷排出部に設けられた刃、及び前記固定トレイに回転可能に結合され前記固定トレイ内の氷を前記刃に向かって移送加圧する回転トレイを含み得る。
【００２０】
前記動力伝達部は、前記回転トレイと結合して前記回転トレイを回転させる回転軸を含み得る。
【００２１】
前記回転軸の外周面には複数の雄ねじ山が形成され、前記回転軸受容部の内周面には前記雄ねじ山に対応する雌ねじ山が形成され、前記回転軸と前記回転軸受容部は、前記回転トレイの回転方向の反対方向に結合し得る。
【００２２】
前記固定トレイの外周面に突出形成した掛止突起と、前記受容部に設けられ前記掛止突起が定着する安着溝、及び前記安着溝と連結した受容溝をさらに含み、前記掛止突起は、前記安着溝に安着後、所定距離だけ移動して前記受容溝に受容し得る。
【００２３】
前記固定トレイに設けられ、前記掛止突起が前記受容溝に受容される受容位置と前記掛止突起が前記受容溝から解除されて前記安着溝に位置する解除位置と、の間で移動するように前記固定トレイを回動させる取っ手部をさらに含み得る。
【発明の効果】
【００２４】
本発明による冷蔵庫は、氷貯蔵部とアイスダクトとの間に氷削ユニットを設けることにより、家庭で粉状の氷を作って使用することができ、氷削部が支持部材に着脱可能に設けられるので、氷削部の掃除及び修理を簡便に行い得る。
【００２５】
また、排出部がディスペンサー部の上部に位置して、排出される粉状の氷がアイスダクトの内壁への接触を最大限避けながら吐出されるように設けることにより、粉状の氷がアイスダクトの内壁に積もって氷排出通路が詰まるのを防止し得る。
【発明を実施するための最良の形態】
【００２６】
以下、添付図面を参照して本発明の望ましい実施形態を詳しく説明する。
【００２７】
説明に先立ち、本発明の具体的な実施形態として両門型冷蔵庫(SIDE BY SIDE)を例に挙げて説明するが、本発明の適用はこれに限定されないことを予め明らかにしておく。
【００２８】
本発明による冷蔵庫は、冷凍室３と、冷凍室ドア５と、ディスペンサー部６０と、冷凍室３に設けた氷貯蔵部１０と、氷貯蔵部１０が設けられる支持部材５１と、氷削ユニット３０と、を含む。
【００２９】
図１を参照すれば、本発明による冷蔵庫は、本体１に形成した中間隔壁によって、冷蔵室２及び冷凍室３が左右に区切られている。各冷蔵室２及び冷凍室３の前面開口には、前記開口を開閉するための冷蔵室ドア４及び冷凍室ドア５が設けられており、各ドア４、５の内側には、瓶類などを収納することができるようにドアガイド６が上下に配置されている。本体１の右側に形成した冷蔵室２には、上部に冷蔵室２内を区切する複数の棚７が上下に配置されており、下部には複数の収納引出し８が設けられる。
【００３０】
ディスペンサー部６０は、吐出される氷の種類選択及び冷蔵関連制御命令などを入力する操作パネル６５と、氷を吐出するアイスレバー６３と、水の供給を受けるウォーターレバー６１と、を含む。ここで、未説明参照符号７３及び７５は氷貯蔵部１０内の氷の量を感知する満氷感知レバー７３と、製氷トレイ７１を回動させて製氷された氷を離氷するようにする離氷モータ７５と、を示す。
【００３１】
氷貯蔵部１０は、図３に示すように、開口部１２を形成した氷貯蔵容器１１と、貯蔵された氷を開口部１２に向かって押し出す回転体１４と、回転体１４を駆動させる駆動モータ１３と、開口部１２から吐出された氷を氷削部３１に案内する第１吐出部２０ａ及びアイスダクト５５に案内する第２吐出部２０ｂを形成した前面カバー１９と、開口部１２側に設けた回転刃１６、固定刃１５及びレバー１７ａ、１７ｂを含む。
【００３２】
氷貯蔵容器１１は、製氷トレイ７１から離氷された氷を貯蔵することができるように、内部に貯蔵空間が画成される。氷貯蔵容器１１の前方、つまり、冷凍室ドア５側には貯蔵した氷を外部に吐出する開口部１２が形成される。
【００３３】
回転体１４は氷貯蔵容器１１内に設けられて、貯蔵された氷を開口部１２に向かって移送させる。回転体１４は多様な形状に設けることができ、例えば、図３に示すように、駆動モータ１３に結合されて回転する軸の半径方向に螺旋状の羽が形成されたヘリックスとして設け得る。
【００３４】
駆動モータ１３は、氷貯蔵容器１１の後方または支持部材５１に設けられて、回転体１４を駆動する。
【００３５】
前面カバー１９は氷貯蔵容器１１の前方に設けられて、開口部１２に吐出された氷を用途によって多様な位置に供給する吐出部２０ａ、２０ｂが形成される。例えば、吐出部２０ａ、２０ｂは、氷削部３１と連通する第１吐出部２０ａと、アイスダクト５５に連通する第２吐出部２０ｂと、を含み得る。
【００３６】
回転刃１６は、氷貯蔵容器１１に回転可能に結合され、吐出される角氷を切れ氷に粉砕したり、第１吐出部２０ａに移送させるように設けられる。回転刃１６は、例えば、回転体１４に結合され、回転体１４と連動して回転するように設けることができる。回転刃１６は、互いに等角度を形成して配置される２つ以上の刃を有し、刃の回転方向の前面には氷を粉砕するための鋭い複数の突起を有する。一方、回転刃１６は複数個設け得る。
【００３７】
レバー１７ａ、１７ｂは、氷貯蔵容器１１に一側が回動可能に設けられて、第１吐出部２０ａ及び第２吐出部２０ｂをそれぞれ開閉する。レバー１７ａ、１７ｂは各吐出部２０ａ、２０ｂの数に対応して設けることができ、例えば、第１吐出部２０ａを開閉する第１レバー１７ａと、第２吐出部２０ｂを開閉する第２レバー１７ｂと、を設けることができる。各レバー１７ａ、１７ｂはレバー駆動部１８ａ、１８ｂによって駆動される。レバー駆動部１８ａ、１８ｂは、例えば、ソレノイドバルブとして設け得る。
【００３８】
回転刃１６とレバー１７ａ、１７ｂは相互に連動作動して、角氷、切れ氷、粉状の氷を排出する。つまり、角氷を吐出する時には、第１レバー１７ａは閉鎖位置、第２レバー１７ａは開放位置に回動して、開口部１２に排出された氷が第２吐出部２０ｂへ吐出され、切れ氷を吐出する時には、第１レバー１７ａ及び第２レバー１７ｂの両方が閉鎖位置に回動して、開口部１２に排出された氷が回転刃１６によって回転移送されて、固定刃１５により粉砕されて第２吐出部２０ｂへ吐出される。
【００３９】
一方、粉状の氷を吐出する時には、第１レバー１７ａは開放位置、第２レバー１７ｂは閉鎖位置に回動して、開口部１２に排出された氷が回転刃１６により移送されて第１吐出部２０ａを通じて氷削部３１に流入する（図５参照）。
【００４０】
支持部材５１は冷凍室３に設けられて、氷削ユニット３０及び氷貯蔵部１０を支持する。支持部材５１は、例えば、棚形状に設けられ、氷貯蔵容器１１が支持部材５１の上面に設置されるように設けることができる。支持部材５１はスクリュー締結などの方法によって冷凍室３の内箱に固定することができる。支持部材５１の前方には氷削部３１を着脱可能に受容する受容部５２が設けられ、受容部５２の後方には氷削部３１を駆動する駆動部４０が設置される。
【００４１】
受容部５２は、支持部材５１の前方に設けられて、氷削部３１を着脱可能に受容する。受容部５２は多様な位置に設けることができるが、開口部１２に排出された氷が氷削部３１に流入するように第１吐出部２０ａ、２０ｂに隣接するように設けるのが好ましい。一方、受容部５２は多様な形状に設けることができ、例えば、氷削部３１に対応する形状に設け得る。
【００４２】
氷削部３１は、粉状の氷排出部３６が設けられ受容部５２に受容される固定トレイ３２と、粉状の氷排出部３６に設けられる刃３４と、固定トレイ３２に回転可能に結合される回転トレイ３３と、を含む。
【００４３】
固定トレイ３２は、回転トレイ３３を回転可能に受容し、一側に粉砕された粉状の氷が排出される粉状の氷排出部３６を有する。固定トレイ３２は多様な形状に設けることができ、例えば、図４に示すように、氷貯蔵容器１１から吐出された氷が受容されるように中心部が凹んでいる皿形状に設け得る。
【００４４】
固定トレイ３２の中心部には動力伝達部４５の回転軸４６が貫通するように貫通部３７が設けられ、側部の一側には上下に長方形状の粉氷排出部３６が設けられる。粉氷排出部３６の一側には刃３４が設けられて、回転トレイ３３によって移送加圧された氷が粉状の氷に粉砕される。
【００４５】
回転トレイ３３は、固定トレイ３２に回転可能に設けられ、固定トレイ３２内の角氷を刃３４に向かって移送加圧する。回転トレイ３３は、第１吐出部２０ａと連通して角氷が流入する氷流入部３３ｂと、中心部に設けられて回転軸４６と結合する回転軸受容部３８と、回転軸受容部３８の外周面から伸びて氷を移送させる回転羽３３ａと、を含む。
【００４６】
回転羽３３ａは必要に応じて多様な個数で設けることができ、例えば、３個設けることができる。一方、回転羽３３ａは回転方向に前方傾斜するように設け得る。
【００４７】
駆動部４０は氷削部３１の後方に設けられて、氷削部３１に駆動力を提供する。駆動部４０は、例えば、モータで構成し得る。
【００４８】
動力伝達部４５は、駆動部４０と氷削部３１との間に設けられて、駆動部４０の駆動力を氷削部３１に伝達する。動力伝達部４５は複数のギヤ列を利用して駆動力を伝達することもでき、ベルトなどを用いて駆動力を伝達し得る。
【００４９】
結合部８０は固定トレイ３２を受容部５２に着脱可能に結合する。結合部８０は、例えば、固定トレイ３２の外周面に設けた掛止突起８１と、受容部５２に設けられて掛止突起８１を受容する受容溝８３と、を含み得る。ここで、受容溝８３に連結される安着溝８２をさらに設け得る。
【００５０】
掛止突起８１は、固定トレイ３２の外周面に設けられて、受容溝８３に受容される。掛止突起８１は、例えば、直六面体形状に設けることができる。掛止突起８１は必要に応じて多様な個数で設けることができる。受容溝８３は掛止突起８１に対応する形状を有して、掛止突起８１の数に対応して設けることができる。安着溝８２は受容溝８３に連結され、掛止突起８１が安着して受容溝８３に受容されるように案内する。
【００５１】
ここで、固定トレイ３２に設けられて、掛止突起８１が受容溝８３に受容される受容位置Ｂと、掛止突起８１が受容溝８３から解除されて安着溝８２に位置する解除位置Ａとの間で移動するように固定トレイ３２を回動させる取っ手部３５をさらに含み得る（図３参照）。ここで、前記取っ手部３５は、氷削部３１の着脱時に固定トレイ３２を回動させること以外に、粉氷排出部３６に排出された粉状の氷が周囲に飛散するのを防止し得る。
【００５２】
アイスダクト５５は、冷凍室ドア５に設けられて、粉氷排出部３６及び第２吐出部２０ｂから吐出された氷をディスペンサー部６０に案内する。アイスダクト５５は、例えば、両端が開口されたじょうご形状に設けられ、上端は粉氷排出部３６及び第２吐出部２０ｂに向かって開口された上端開口部５６が形成され、下部にはディスペンサー部６０に向かって開口された下端開口部５７が形成される（図５参照）。上端開口部５６は下端開口部５７よりさらに広く形成し得る。
【００５３】
下端開口部５７は、粉氷排出部３６から排出された粉状の氷がアイスダクト５５の内壁に最小限に接触をしながら排出される位置に設けるのが好ましい。例えば、粉状の氷排出部３６の鉛直下方に設けるようにするのが望ましい。この場合、粉氷がディスペンサー部６０に吐出する時、アイスダクト５５の内壁にほとんど接触しなくなるので、粉氷がアイスダクト５５の内壁に積もって氷吐出口が詰まるのを防止し得る。
【００５４】
以下、前述した構造を有する冷蔵庫において、氷削部３１の着脱及び粉氷排出過程を説明する。
【００５５】
まず、支持部材５１の上部には氷貯蔵容器１１が設置される。支持部材５１の前方、つまり、氷貯蔵容器１１の開口部１２側には、第１吐出部２０ａと連通されて氷貯蔵容器１１内の氷を受けて粉状の氷を作る氷削ユニット３０が設けられる。氷削ユニット３０は、粉状の氷を作って排出する氷削部３１と、氷削部を駆動する駆動部４０と、を含み、氷削部３１は支持部材５１に設けた受容部５２に着脱可能に設けられる。
【００５６】
氷削部３１を受容部５２に装着する過程を説明する。
【００５７】
まず、固定トレイ３２の外周面に形成された掛止突起８１を受容部５２に設けられた安着溝８２に安着させる（図４の点線参照）。この時、安着溝８２は掛止突起８１と同一な大きさで設けられることもでき、安着が容易になるように所定の大きさだけさらに大きく設け得る。
【００５８】
次に、固定トレイ３２をＢ方向に回動させて、掛止突起８１を受容溝８３に受容させることによって、氷削部３１を受容部５２に装着する。ここで、固定トレイ３２に設けられた取っ手部３５を利用すれば、掛止突起８１を受容位置Ｂ及び解除位置Ａの間で容易に移動させることができるので、氷削部３１の着脱が容易になる。
【００５９】
次に、図５を参照して本発明の冷蔵庫での粉氷吐出過程を説明する。
【００６０】
使用者が操作パネル６５によって粉氷吐出を選択すると、駆動モータ１３が回転体１４を回転して、氷貯蔵容器１１に貯蔵された氷を開口部１２に向かって移送させる。この時、第１レバー１７ａは開放位置にあり、第２レバー１７ｂは閉鎖位置にある。したがって、開口部１２に排出された氷は第２吐出部２０ｂに吐出されず、第２レバー１７ｂの上に置かれるようになり、回転刃１６によって受容されて矢印方向に回転移送される。一方、回転刃１６によって移送される氷が最高点を過ぎると、自重によって落下するようになり、この時には回転刃の前の刃１６ｃによって案内されて、固定刃１５に落ちず第１吐出部２０ａに吐出される。
【００６１】
一方、角氷及び切れ氷を吐出する過程を簡単に説明すれば、角氷吐出時には第１レバー１７ａは閉鎖し、第２レバー１７ｂのみを開放させて、開口部１２に排出された氷が第２吐出部２０ｂに直ちに排出されるようにし、排出された角氷はアイスダクト５５を通じてディスペンサー部６０に吐出される。切れ氷吐出時には第１レバー１７ａ及び第２レバー１７ｂを全て閉鎖させて、開口部１２に排出された氷が回転刃１６によって移送されて、固定刃１５の間で粉砕されて第２吐出部２０ｂに吐出される。
【図面の簡単な説明】
【００６２】
【図１】本発明による冷蔵庫の一部が開放された前面図である。
【図２】図１の冷蔵庫の冷凍室側拡大断面図である。
【図３】図１の氷貯蔵部及び氷削ユニットの結合斜視図である。
【図４】図３の受容部及び氷削部の分解斜視図である。
【図５】図１のディスペンサー部側平面図である。
【符号の説明】
【００６３】
１  本体
２  冷蔵室
３  冷凍室
４  冷蔵室ドア
５  冷凍室ドア
６  ドアガイド
７  棚
８  収納引出し
１０  氷貯蔵部
１１  氷貯蔵容器
１２  開口部
１３  駆動モータ
１４  回転体
１５  固定刃
１６  回転刃
１７ａ、１７ｂ  レバー
１８ａ、１８ｂ  レバー駆動部
１９  前面カバー
２０ａ、２０ｂ  吐出部
３０  氷削ユニット
３１  氷削部
３２  固定トレイ
３３  回転トレイ
３４  刃
３５  取っ手部
３６  粉氷排出部
３７  貫通部
３８  回転軸受容部
４０  駆動部
４５  動力伝達部
４６  回転軸
５１  支持部材
５２  受容部
５５  アイスダクト
５６  上端開口部
５７  下端開口部
６０  ディスペンサー部
６１  ウォーターレバー
６３  アイスレバー
６５  操作パネル
７０  製氷室
７１  製氷トレイ
７３  満氷感知レバー
７５  離氷モータ
８０  結合部
８１  掛止突起
８２  安着溝
８３  受容溝
【図１】
2007093195.tif 000003
【図２】
2007093195.tif 000004
【図３】
2007093195.tif 000005
【図４】
2007093195.tif 000006
【図５】
2007093195.tif 000007